(57)【要約】      （修正有）【課題】手袋とは別に構成され、手袋と組み合わせて用いる手袋ケースであって、一旦はめて使用した手袋をその外面に触れることなく内部に収納、保管し、再び外面に触れることなくはめることができる手袋ケースを提供する。【解決手段】手袋ケース１は、ケース本体１０を備える。ケース本体１０は折り畳み自在の左葉部１１と右葉部１２とからなり、左葉部１１と右葉部１２の側縁１１ａ、１２ａには、両者を折り畳んだ際に、その側縁に沿って両者を筒状に閉止させる一対の縦方向閉止手段１３、１４を備え、また左葉部１１と右葉部１２の内面１１ｂ、１２ｂには、両者を折り畳んだ際に、予め配置される手袋Ｔの手首部Ｔ１の外周面に対して上下から挟んで帯状に接合すると共に残余の部分においては左葉部１１の内面１１ｂと右葉部１２の内面１２ｂとを帯状に接合させる横方向接合手段１５を備えている。【選択図】図２
0003230727.tif 000002
【実用新案登録請求の範囲】
【請求項１】
筒状に折り畳んだケース本体の内面に対して手袋の手首部外周面を接合し、手袋を使用する際には、前記筒状に折り畳んだケース本体に手を差し入れると共に前記接合された手袋に手を差し入れて、手首部より先の手部及び指部を手袋ケースから前方に露出させた状態として使用に供し、使用後は前記手袋内に差し入れられた手を手袋ケース内に後退させることで前記露出した手袋の手部及び指部を手袋ケース内へ後退させた状態として収納保持するようにした手袋ケースであって、前記ケース本体は折り畳み自在の左葉部と右葉部とからなり、左葉部と右葉部の側縁には、両者を折り畳んだ際に、その側縁に沿って両者を筒状に閉止させる一対の縦方向閉止手段を備え、また左葉部と右葉部の内面には、両者を折り畳んだ際に、予め配置される手袋の手首部外周面に対して上下から挟んで帯状に接合すると共に残余の部分においては左葉部の内面と右葉部の内面とを帯状に接合させる横方向接合手段を備えていることを特徴とする手袋ケース。
【請求項２】
左葉部と右葉部の側縁に備えられる一対の縦方向閉止手段は、左葉部と右葉部の各側縁の内面側に沿って縦方向に取り付けられた一対の縦方向帯状面ファスナーとし、左葉部と右葉部の内面に備えられる横方向接合手段は、前記左葉部と右葉部の上部において前記一対の縦方向帯状面ファスナー間に亘って取り付けられた横方向帯状面ファスナーとしたことを特徴とする請求項１に記載の手袋ケース。
【請求項３】
ケース本体は左葉部と右葉部とが折り畳み自在に保持されると共に、折り畳んだ状態で手を差し入れることができる柔軟性を保有する軟質素材で構成されていることを特徴とする請求項１又は２に記載の手袋ケース。
【請求項４】
ケース本体は抗菌処理が施されていることを特徴とする請求項１〜３の何れかに記載の手袋ケース。
【請求項５】
ケース本体の横方向帯状面ファスナーと対になる面ファスナーを手首部外周面に備えた手袋と組み合わされることを特徴とする請求項２〜４の何れかに記載の手袋ケース。
【請求項６】
左葉部と右葉部の側縁に備えられる一対の縦方向閉止手段は、左葉部と右葉部の各側縁の内面側に沿って縦方向に設けられた一対の縦方向帯状接着面とし、左葉部と右葉部の内面に備えられる横方向接合手段は、前記左葉部と右葉部の上部において前記一対の縦方向帯状接着面間に亘って設けられた横方向帯状接着面としたことを特徴とする請求項１に記載の手袋ケース。
【請求項７】
縦方向帯状接着面と横方向帯状接着面は、両面接着テープを用いて、その一面側でケース本体に接着すると共に他面側は剥離テープを剥離自在に付けた状態にして設けてあることを特徴とする請求項６に記載の手袋ケース。
【請求項８】
左葉部と右葉部の側縁に備えられる一対の縦方向閉止手段は、左葉部と右葉部の各側縁の内面側に沿って縦方向に設けられた一対の縦方向帯状粘着面とし、左葉部と右葉部の内面に備えられる横方向接合手段は、前記左葉部と右葉部の上部において前記一対の縦方向帯状粘着面間に亘って設けられた横方向帯状粘着面としたことを特徴とする請求項１に記載の手袋ケース。
【請求項９】
左葉部と右葉部の側縁に備えられる一対の縦方向閉止手段は、左葉部と右葉部の各側縁の内面側に沿って縦方向に設けられた一対の縦方向帯状熱圧着用面とし、左葉部と右葉部の内面に備えられる横方向接合手段は、前記左葉部と右葉部の上部において前記一対の縦方向帯状熱圧着用面間に亘って設けられた横方向帯状熱圧着用面としたことを特徴とする請求項１に記載の手袋ケース。
【請求項１０】
ケース本体は左葉部と右葉部とが折り畳み自在に保持されると共に、折り畳んだ状態で手を差し入れることができる柔軟性を保有する軟質プラスチックで構成されていることを特徴とする請求項６〜９の何れかに記載の手袋ケース。
【請求項１１】
横方向帯状接着面に接着される手首部を備えた軟質プラスチック製の手袋と組み合わされることを特徴とする請求項１０に記載の手袋ケース。
【考案の詳細な説明】
【技術分野】
【０００１】
本考案は手袋ケースに関し、より詳しくは、一旦はめて使用した手袋をその外面に触れることなく内部に収容し、必要に応じて再び外面には触れることなくはめることができるようにした手袋ケースに関する。
【背景技術】
【０００２】
手袋は使用すると、その外面に汚れや細菌等の衛生上の好ましくない物が付着する。このため一旦使用した手袋を脱いだり、再びはめたりする際等には、手が容易に手袋の外面に接触することが予想され、特に衛生的な面においては問題があった。
【先行技術文献】
【特許文献】
【０００３】
【特許文献１】特開２０１６−８９３１９号公報
【特許文献２】特開２０１６−１２１４２５号公報
【特許文献２】米国特許第６５３９５４９号明細書
【考案の概要】
【考案が解決しようとする課題】
【０００４】
上記特許文献１には、感染予防手袋が開示されている。袋部分（１２）とカバー（２０）とを有し、カバー（２０）をその固着部３０で折り返すことで、感染の可能性のある指先部分（１４）を包囲できるようにして隠し、使用済みの手袋を廃棄し易くしている。
上記特許文献２には、接触感染を予防する医療用手袋が開示されている。手袋本体部（２）の基端側に折り返し部（４）を備え、該折り返し部（４）に指を入れることができるリング状の突出部（５）を設けている。突出部（５）に指を入れて引っ張ることで、手袋本体部２を裏返しながら簡単に取り外すことができる。
上記特許文献３には、安全グローブシステム及び方法が開示されている。グローブ（１１１）とスリーブ（１１２）とからなり、グローブ（１１１）をスリーブ（１１２）の中に仕舞い込めるようにしている。
しかしながら、上記特許文献１の感染予防手袋は、袋部分（１２）とカバー（２０）とが最初から一体不可分に構成された手袋そのものであり、しかも一度の使用でカバー（２０）を含めた全てを廃棄することを前提にした使い捨て手袋となっている。
また上記特許文献２の接触感染を予防する医療用手袋の場合も同様に、折り返し部（４）やリング状の突出部（５）を含めた全体が一体不可分に構成された手袋そのものであり、使い捨て手袋である。
上記特許文献３においても、グローブ（１１１）とスリーブ（１１２）とは一体に構成されており、やはりこれも、袖の長い手袋であり、グローブ（１１１）の部分だけを取り換えたり、またスリーブ（１１２）の部分だけを取り換えたりすることができない。
【０００５】
そこで本考案は、上記従来技術の問題を解消し、手袋とは別に構成され、手袋と組み合わせて用いる手袋ケースの提供を課題とする。また一旦はめて使用した手袋をその外面に触れることなく内部に収納、保管し、必要に応じて再び外面に触れることなくはめることができるようにした手袋ケースの提供を課題とする。
【課題を解決するための手段】
【０００６】
本考案の手袋ケースは、筒状に折り畳んだケース本体の内面に対して手袋の手首部外周面を接合し、手袋を使用する際には、前記筒状に折り畳んだケース本体に手を差し入れると共に前記接合された手袋に手を差し入れて、手首部より先の手部及び指部を手袋ケースから前方に露出させた状態として使用に供し、使用後は前記手袋内に差し入れられた手を手袋ケース内に後退させることで前記露出した手袋の手部及び指部を手袋ケース内へ後退させた状態として収納保持するようにした手袋ケースであって、前記ケース本体は折り畳み自在の左葉部と右葉部とからなり、左葉部と右葉部の側縁には、両者を折り畳んだ際に、その側縁に沿って両者を筒状に閉止させる一対の縦方向閉止手段を備え、また左葉部と右葉部の内面には、両者を折り畳んだ際に、予め配置される手袋の手首部外周面に対して上下から挟んで帯状に接合すると共に残余の部分においては左葉部の内面と右葉部の内面とを帯状に接合させる横方向接合手段を備えていることを第１の特徴としている。
また本考案の手袋ケースは、上記第１の特徴に加えて、左葉部と右葉部の側縁に備えられる一対の縦方向閉止手段は、左葉部と右葉部の各側縁の内面側に沿って縦方向に取り付けられた一対の縦方向帯状面ファスナーとし、左葉部と右葉部の内面に備えられる横方向接合手段は、前記左葉部と右葉部の上部において前記一対の縦方向帯状面ファスナー間に亘って取り付けられた横方向帯状面ファスナーとしたことを第２の特徴としている。
また本考案の手袋ケースは、上記第１又は第２の特徴に加えて、ケース本体は左葉部と右葉部とが折り畳み自在に保持されると共に、折り畳んだ状態で手を差し入れることができる柔軟性を保有する軟質素材で構成されていることを第３の特徴としている。
また本考案の手袋ケースは、上記第１〜第３の何れかの特徴に加えて、ケース本体は抗菌処理が施されていることを第４の特徴としている。
また本考案の手袋ケースは、上記第２〜第４の何れかの特徴に加えて、ケース本体の横方向帯状面ファスナーと対になる面ファスナーを手首部外周面に備えた手袋と組み合わされることを第５の特徴としている。
また本考案の手袋ケースは、上記第１の特徴に加えて、左葉部と右葉部の側縁に備えられる一対の縦方向閉止手段は、左葉部と右葉部の各側縁の内面側に沿って縦方向に設けられた一対の縦方向帯状接着面とし、左葉部と右葉部の内面に備えられる横方向接合手段は、前記左葉部と右葉部の上部において前記一対の縦方向帯状接着面間に亘って設けられた横方向帯状接着面としたことを第６の特徴としている。
また本考案の手袋ケースは、上記第６の特徴に加えて、縦方向帯状接着面と横方向帯状接着面は、両面接着テープを用いて、その一面側でケース本体に接着すると共に他面側は剥離テープを剥離自在に付けた状態にして設けてあることを第７の特徴としている。
また本考案の手袋ケースは、上記第１の特徴に加えて、左葉部と右葉部の側縁に備えられる一対の縦方向閉止手段は、左葉部と右葉部の各側縁の内面側に沿って縦方向に設けられた一対の縦方向帯状粘着面とし、左葉部と右葉部の内面に備えられる横方向接合手段は、前記左葉部と右葉部の上部において前記一対の縦方向帯状粘着面間に亘って設けられた横方向帯状粘着面としたことを第８の特徴としている。
また本考案の手袋ケースは、上記第１の特徴に加えて、左葉部と右葉部の側縁に備えられる一対の縦方向閉止手段は、左葉部と右葉部の各側縁の内面側に沿って縦方向に設けられた一対の縦方向帯状熱圧着用面とし、左葉部と右葉部の内面に備えられる横方向接合手段は、前記左葉部と右葉部の上部において前記一対の縦方向帯状熱圧着用面間に亘って設けられた横方向帯状熱圧着用面としたことを第９の特徴としている。
また本考案の手袋ケースは、上記第６〜第９の何れかの特徴に加えて、ケース本体は左葉部と右葉部とが折り畳み自在に保持されると共に、折り畳んだ状態で手を差し入れることができる柔軟性を保有する軟質プラスチックで構成されていることを第１０の特徴としている。
また本考案の手袋ケースは、上記第１０の特徴に加えて、横方向帯状接着面に接着される手首部を備えた軟質プラスチック製の手袋と組み合わされることを第１１の特徴としている。
【考案の効果】
【０００７】
請求項１に記載の手袋ケースによれば、ケース本体は左葉部と右葉部とからなり、各葉部にはその側縁に沿って一対の縦方向閉止手段が備えられ、また左葉部と右葉部の内面には横方向接合手段が備えられている。ケース本体を開いた状態から折り畳むと、前記一対の縦方向閉止手段によって左葉部と右葉部の両側縁を閉じて筒状にすることができる。よって筒状となったケース本体に手を通すことが可能となる。一方、開いたケース本体の内面に手袋を配置し、ケース本体を折り畳むと、前記横方向接合手段によって手袋の手首部外周面を上下から挟んで帯状に接合することが可能となり、また残余の部分は左葉部と右葉部の内面同士を帯状に接合することが可能となる。
筒状となったケース本体に手を入れ、更に内部に接合された手袋にその手首部から手を差し込んで、手袋の手部及び指部をケース本体から前方へ露出させることで、使用に供することができる。このときケース本体から前方に露出した部分の外面は、いわゆる汚染状態となるが、勿論手袋の内面は汚染されない。そして使用後に手袋から手を抜く際には、露出している手袋の指部、手部をケース本体内へと後退させて仕舞い込むことができる。そして手袋をケース本体に仕舞い込んだ状態において、少なくとも前記汚染された指部や手部の外面が前記横方向接合手段で帯状に接合された領域を超えてケース本体の下方空間に露出するのを防止することができる。勿論、手袋の指部や手部は前記横方向接合手段で帯状に接合された領域を超えてケース本体の下方まで後退することはあるが、その場合には、その超えた手袋部分は手袋が裏返った状態となるので、汚染されることはない。
更に前記手袋の指部や手部が裏返ったりして本体ケース内に仕舞い込まれている場合にあっても、再度手をケース本体内に差し込んで行くことで、指部や手部を表返しながらケースの前方へと露出させて使用に供する状態とすることができる。
【０００８】
請求項２に記載の手袋ケースによれば、上記請求項１に記載の構成による作用効果に加えて、左葉部と右葉部の側縁に備えられる一対の縦方向閉止手段は、左葉部と右葉部の各側縁の内面側に沿って縦方向に取り付けられた一対の縦方向帯状面ファスナーとしたので、ケース本体を開いた状態から折り畳むと、前記一対の縦方向帯状面ファスナーによって左葉部と右葉部の両側縁を簡単、容易に閉じて筒状にすることができる。
また左葉部と右葉部の内面に備えられる横方向接合手段は、前記左葉部と右葉部の上部において前記一対の縦方向帯状面ファスナー間に亘って取り付けられた横方向帯状面ファスナーとしたので、開いたケース本体の内面に手袋を置き、ケース本体を折り畳むと、前記横方向帯状面ファスナーによって手袋の手首部外周面を上下から挟んで帯状に接合することが可能となり、また残余の部分は左葉部と右葉部の内面同士を帯状に接合することが可能となる。
一対の縦方向閉止手段及び横方向接合手段として帯状面ファスナーを用いたことで、ケース本体の筒状化及び開放化、手袋のケース本体への取り付け及び取り外しが自在となり、何度も繰り返し使用することが可能となる。また手袋ケースを安価に提供できると共に、洗濯や消毒も容易となる。
なお、この場合においては、前記手袋はその手首部外周面に面ファスナーを備えたものを用いる。
【０００９】
請求項３に記載の手袋ケースによれば、上記請求項１又は２に記載の構成による作用効果に加えて、ケース本体は左葉部と右葉部とが折り畳み自在に保持されると共に折り畳んだ状態で手を差し入れることができる柔軟性を保有する軟質素材で構成されているので、不使用時には柔軟性を保有する軟質素材で構成されたケース本体を十分に折り畳んで小さく、嵩低く、コンパクトに保管しておくことができる。また使用時には柔軟性を保有する軟質素材で構成されたケース本体であるから、容易に手を通して筒状に変形させることができ、使用がし易い。
【００１０】
請求項４に記載の手袋ケースによれば、上記請求項１〜３の何れかに記載の構成による作用効果に加えて、ケース本体は抗菌処理が施されていることにより、ケース本体にウイルスを含む菌類が付着してもこれらを速やかに殺菌することができる。
【００１１】
請求項５に記載の手袋ケースによれば、上記請求項２〜４の何れかに記載の構成による作用効果に加えて、ケース本体の横方向帯状面ファスナーと対になる面ファスナーを手首部外周面に備えた手袋と組み合わされることで、１乃至複数の手袋と対で繰り返し使用できる便利な手袋ケースを安価に提供することができる。
【００１２】
請求項６に記載の手袋ケースによれば、上記請求項１に記載の構成による作用効果に加えて、左葉部と右葉部の側縁に備えられる一対の縦方向閉止手段は、左葉部と右葉部の各側縁の内面側に沿って縦方向に設けられた一対の縦方向帯状接着面としたので、ケース本体を開いた状態から折り畳むと、前記一対の縦方向帯状接着面によって左葉部と右葉部の両側縁を簡単、容易に接着して閉じて筒状にすることができる。
また左葉部と右葉部の内面に備えられる横方向接合手段は、前記左葉部と右葉部の上部において前記一対の縦方向帯状接着面間に亘って取り付けられた横方向帯状接着面としたので、開いたケース本体の内面に手袋を置き、ケース本体を折り畳むと、前記横方向帯状接着面によって手袋の手首部外周面を上下から挟んで帯状に接合することが可能となり、また残余の部分は左葉部と右葉部の内面同士を帯状に接合することが可能となる。
一対の縦方向閉止手段及び横方向接合手段として帯状接着面を用いたことで、ケース本体への手袋の取り付けが簡単、確実となり、また製造コストが安価となるので、長期使用のみならず比較的短期の使用にも適した手袋ケースを提供することができる。
なお、この場合においては、前記手袋には面ファスナーや接着面等の接合手段を何ら設ける必要はない。
【００１３】
請求項７に記載の手袋ケースによれば、上記請求項６に記載の構成による作用効果に加えて、縦方向帯状接着面と横方向帯状接着面は、両面接着テープを用いて、その一面側でケース本体に接着すると共に他面側は剥離テープを剥離自在に付けた状態にして設けてあるので、両面接着テープを用いて、使用に際しては剥離テープを剥いで一対の縦方向帯状接着面及び横方向帯状接着面を露出させることで、左葉部と右葉部による筒状化とその内面への手袋の手首部外周面の接合を容易に行うことができる。
【００１４】
請求項８に記載の手袋ケースによれば、上記請求項１に記載の構成による作用効果に加えて、左葉部と右葉部の側縁に備えられる一対の縦方向閉止手段は、左葉部と右葉部の各側縁の内面側に沿って縦方向に設けられた一対の縦方向帯状粘着面とし、左葉部と右葉部の内面に備えられる横方向接合手段は、前記左葉部と右葉部の上部において前記一対の縦方向帯状粘着面間に亘って設けられた横方向帯状粘着面としたので、横方向帯状粘着面には手袋を粘着により取り外し可能に取り付けることができ、また一対の縦方向帯状粘着面同士を粘着することで、取り外し可能とした筒状の手袋ケースとすることができる。
【００１５】
請求項９に記載の手袋ケースによれば、上記請求項１に記載の構成による作用効果に加えて、左葉部と右葉部の側縁に備えられる一対の縦方向閉止手段は、左葉部と右葉部の各側縁の内面側に沿って縦方向に設けられた一対の縦方向帯状熱圧着用面とし、左葉部と右葉部の内面に備えられる横方向接合手段は、前記左葉部と右葉部の上部において前記一対の縦方向帯状熱圧着用面間に亘って設けられた横方向帯状熱圧着用面としたので、横方向帯状熱圧着用面には手袋を熱圧着して取り付けることができ、また一対の縦方向帯状熱圧着用面同士を熱圧着して筒状の手袋ケースとすることができる。
【００１６】
請求項１０に記載の手袋ケースによれば、上記請求項６〜９の何れかに記載の構成による作用効果に加えて、ケース本体は左葉部と右葉部とが折り畳み自在に保持されると共に、折り畳んだ状態で手を差し入れることができる柔軟性を保有する軟質プラスチックで構成されているので、コンパクトで使用し易い手袋ケースを、安価な材料を用いて安価に提供することが可能となる。また安価に提供できるので、長期のみならず比較的短期の使用にも適した手袋ケースを提供することができる。
請求項１１に記載の手袋ケースによれば、上記請求項１０に記載の構成による作用効果に加えて、横方向帯状接着面に接着される手首部を備えた軟質プラスチック製の手袋と組み合わされることにより、手袋と手袋ケースとが何れも軟質プラスチックで構成されたシンプルで使い易く、消毒し易いものを安価に提供することができる。
【図面の簡単な説明】
【００１７】
【図１】本考案の第１の実施形態に係る手袋ケースの概略斜視図である。
【図２】本考案の第１の実施形態に係る手袋ケースとこれに対となる手袋を示す概略斜視図である。
【図３】本考案の第１の実施形態に係る手袋ケースに手袋を取り付ける仕方を説明する図である。
【図４】本考案の第１の実施形態に係る手袋ケースに手袋の取り付けを完了した状態を示す図である。
【図５】本考案の第１の実施形態に係る手袋ケースに手袋を取り付けたものに手を入れて使用準備が完了した状態を示す図である。
【図６】本考案の第１の実施形態に係る手袋ケース内に使用後の手袋を後退させて収納保持した状態を示す図である。
【図７】本考案の第２の実施形態に係る手袋ケースの概略斜視図である。
【考案を実施するための形態】
【００１８】
以下の図面を参照して、本考案の実施形態に係る手袋ケースを説明し、本考案の理解に供する。しかし、以下の説明は本考案の実用新案登録請求の範囲に記載の考案を限定するものではない。
【００１９】
図１〜図６を参照して、本考案の第１の実施形態に係る手袋ケース１を説明する。
第１の実施形態に係る手袋ケース１はケース本体１０を備える。
ケース本体１０は左葉部１１と右葉部１２とからなる。
左葉部１１と右葉部１２とは折り畳み自在に構成されている。
【００２０】
前記左葉部１１には、その側縁１１ａの内面１１ｂ側に沿って縦方向帯状面ファスナー１３を設けている。
そして前記右葉部１２には、その側縁１２ａの内面１２ｂ側に沿って縦方向帯状面ファスナー１４を設けている。
前記左葉部１１の縦方向帯状面ファスナー１３と前記右葉部１２の縦方向帯状面ファスナー１４とは一対をなす。そして一対の縦方向帯状面ファスナー１３、１４は、左葉部１１と右葉部１２とを折り畳んだ際に、その側縁に沿って左葉部１１と右葉部１２とを筒状に閉止させる一対の縦方向閉止手段を構成する。
【００２１】
前記左葉部１１の内面１１ｂと右葉部１２の内面１２ｂに連続して横方向帯状面ファスナー１５を設けている。
横方向帯状面ファスナー１５は、内面１１ｂ、１２ｂの中央部よりやや上部に設けるのが、後述するケース本体１０内への手袋の収納、保持に適していると言える。
横方向帯状面ファスナー１５は、前記一対の縦方向帯状面ファスナー１３、１４間に亘って取り付けられる。
そして横方向帯状面ファスナー１５は、左葉部１１と右葉部１２とを折り畳んだ際に、後述するように、予め配置される手袋の手首部Ｔ１外周面を上下から挟んで帯状に接合すると共に、残余の部分においては左葉部１１の内面１１ｂと右葉部１２の内面１２ｂとを帯状に接合させる横方向接合手段を構成する。
【００２２】
前記ケース本体１０は、左葉部１１と右葉部１２とを折り畳んだ状態で手を差し入れることができる柔軟性を保有する軟質素材で構成するのがよい。素材としては、不織布、織布、プラスチックシート、フィルム、その他の種々のシート、フィルムを用いることができるが、ウイルス、細菌等に対する抗菌処理、防水処理がなされているものが好ましい。
【００２３】
上記した第１の実施形態に係る手袋ケース１の場合は、前記横方向帯状面ファスナー１５と対になる面ファスナー１６を手首部Ｔ１の外周面に備えた手袋Ｔと組み合わせて使用することになる。
ケース本体１０を、手首部Ｔ１の外周面に面ファスナー１６を備えた手袋Ｔと組み合わせることで、手袋Ｔと対での繰り返し使用ができる手袋ケース１を便利に、安価に提供することができる。
【００２４】
図１〜図４を参照して、上記ケース本体１０に対する手袋Ｔの取り付けを説明する。
先ず図１、図２を参照して、本体ケース１０を左葉部１１と右葉部１２とに開いた状態とする。
次に図３を参照して、面ファスナー１６を手首部Ｔ１に設けた手袋Ｔを、開いた本体ケース１０の左葉部１１の内面１１ｂ若しくは右葉部１２の内面１２ｂ（本実施形態では右葉部１２の内面１２ｂ）の左右中央部の位置に、前記手袋Ｔの面ファスナー１６とケース本体１０の横方向帯状面ファスナー１５とが重なるようにして配置する。
【００２５】
次に、図４に示すように、左葉部１１と右葉部１２とを折り畳む。
これにより、左葉部１１の縦方向帯状面ファスナー１３と右葉部１２の縦方向帯状面ファスナー１４とが相互に接面して接合され、左葉部１１と右葉部１２とが筒状に閉止される。即ち、ケース本体１０が筒状となる。
【００２６】
また左葉部１１と右葉部１２とが折り畳まれることにより、左葉部１１にある横方向帯状面ファスナー１５と右葉部１２にある横方向帯状面ファスナー１５とによって、手袋Ｔの手首部Ｔ１の外周面にある面ファスナー１６が上下から挟まれて帯状に接合される。これにより、手袋Ｔは、その手首部Ｔ１の外周面で筒状となったケース本体１０の内面１１ｂ、１２ｂに接合された状態となって、取り付けられる。
そして左葉部１１にある横方向帯状面ファスナー１５と右葉部１２にある横方向帯状面ファスナー１５とは、前記手袋Ｔの手首部Ｔ１を挟まない部分、即ち残余の部分においては、横方向帯状面ファスナー１５同士が上下から帯状に接面し、接合する。即ち、残余の部分では、左葉部１１の内面１１ｂと右葉部１２の内面１２ｂとが帯状に接合される。これにより、筒状となったケース本体１０は、前記横方向帯状面ファスナー１５によって上下方向に仕切られる。
【００２７】
以上のように、ケース本体１０は、一対の縦方向帯状面ファスナー１３、１４により筒状になされ、横方向帯状面ファスナー１５によりケース本体１０内が上下に仕切られ、隔離された状態にされる。即ち、前記横方向帯状面ファスナー１５で仕切られたケース本体１０の下方の内空間とその空間に連続する手袋Ｔの内空間は、横方向帯状面ファスナー１５で仕切られたケース本体１０の上方の内空間やその内空間にある手袋Ｔの外面から仕切られ、隔離される。
ここで前記隔離の程度は、使用されるケース本体１０や手袋Ｔの素材によって異なることになる。勿論、面ファスナーによる接合面の気密具合にも影響される。
【００２８】
図５、図６を参照して、手袋ケース１の使用の仕方を説明する。
先ず、図５を参照して、手袋を使用する際には、前記筒状に折り畳んだケース本体１０に手を差し入れ、更に前記ケース本体１０内に接合された手袋Ｔに対してその手首部Ｔ１から手を手部Ｔ２、指部Ｔ３へと差し入れ、手部Ｔ２及び指部Ｔ３がケース本体１０の前方に露出した状態とする。この状態ではケース本体１０は差し入れられた手によって現に筒状に変形された状態となる。使用者はケース本体１０より突出した部分で作業を行うことができる。
【００２９】
図６を参照して、使用後は手を手袋Ｔ内から抜きながら、手袋Ｔをケース本体１０内に後退させることで前記露出した手袋Ｔの手部Ｔ２及び指部Ｔ３をケース本体１０内へ収納し、その状態で保持させる。前記手袋Ｔから手を抜く際には、手袋Ｔが裏返しになるようにして手を抜くのが好ましい。勿論、手袋Ｔがどのようにケース本体１０内に後退、収納され、仕舞い込まれようとも、手袋Ｔの手部Ｔ２や指部Ｔ３の露出部分が前記横方向帯状面ファスナー１５によって区切られた下方の空間に露出されることはない。なぜなら前記横方向帯状面ファスナー１５による仕切りを超えて手袋Ｔが下方に後退される場合は、必ず手袋Ｔの内面側が裏返った状態となって下方の空間に露出されることになるからである。
【００３０】
前記使用後の手袋Ｔをケース本体１０内に収納した状態の手袋ケース１を再び使用する場合は、その待機状態の手袋ケース１のケース本体１０内に対して再度手を差し込んで行くことで、収納されている指部Ｔ３や手部Ｔ２を表返しながら手袋ケース１の前方へと露出させて、そのまま使用に供する状態とすることができる。よってごく簡単に再使用に供することができる。
【００３１】
図７を参照して、本考案の第２の実施形態に係る手袋ケース２を説明する。
第２の実施形態に係る手袋ケース２はケース本体２０を備える。
ケース本体２０は左葉部２１と右葉部２２とからなる。
左葉部２１と右葉部２２とは折り畳み自在に構成されている。
左葉部２１には、その側縁２１ａの内面２１ｂ側に沿って縦方向帯状接着面２３を設けている。そして右葉部２２には、その側縁２２ａの内面２２ｂ側に沿って縦方向帯状接着面２４を設けている。
左葉部２１の縦方向帯状接着面２３と前記右葉部２２の縦方向帯状接着面２４とは一対をなす。そして一対の縦方向帯状接着面２３、２４とは、左葉部２１と右葉部２２とを折り畳んだ際に、その側縁に沿って左葉部２１と右葉部２２とを筒状に閉止させる一対の縦方向閉止手段を構成する。
左葉部２１の内面２１ｂと右葉部２２の内面２２ｂに連続して横方向帯状接着面２５を設けている。
横方向帯状接着面２５は、内面２１ｂ、２２ｂの中央部よりやや上部に設けるのが、後述する手袋ｔのケース本体２０内への収納保持に適していると言える。
横方向帯状接着面２５は、前記一対の縦方向帯状接着面２３、２４間に亘って取り付けられる。
【００３２】
第２の実施形態に係る手袋ケース２において、前述のように一対の縦方向帯状接着面２３、２４は、左葉部２１と右葉部２２とを折り畳んだ際に、その側縁２１ａ、２２ａに沿って左葉部２１と右葉部２２とを筒状に閉止させる一対の縦方向閉止手段を構成する。
また横方向帯状接着面２５は、左葉部２１と右葉部２２とを折り畳んだ際に、予め配置される手袋ｔの手首部ｔ１の外周面を上下から挟んで帯状に接合すると共に、残余の部分においては左葉部２１の内面２１ｂと右葉部２２の内面２２ｂとを帯状に接合させる横方向接合手段を構成する。
そしてまた第２の実施形態に係る手袋ケース２において、一対の縦方向帯状接着面２３、２４は第１の実施形態に係る手袋ケース１における一対の縦方向帯状面ファスナー１３、１４に対応する。また横方向帯状接着面２５は第１の実施形態に係る横方向帯状面ファスナー１５に対応する。
【００３３】
前記縦方向帯状接着面２３、２４と横方向帯状接着面２５は、何れも両面接着テープを用いて、具体的には、その一面側でケース本体２０に接着すると共に、他面側は剥離テープを剥離自在に付けた状態にして設けることにより構成することができる。
両面接着テープを用いて、使用に際しては剥離テープを剥いで一対の縦方向帯状接着面及び横方向帯状接着面を露出させることで、左葉部と右葉部による筒状化とその内面への手袋の手首部外周面の接合を容易に行うことができる。
【００３４】
第２の実施形態に係る手袋ケース２の場合は、取り付けられる手袋ｔには第１の実施形態での手袋Ｔにおける面ファスナー１６のような取付手段を設ける必要はない。手袋ｔはケース本体２０縦方向帯状接着面２３、２４や横方向帯状接着面２５に対して接着されることができればよい。従って多くの一般的な手袋を対象とすることができる。
【００３５】
また第２の実施形態に係る手袋ケース２の場合は、前記縦方向帯状接着面２３、２４や横方向帯状接着面２５を用いることから、一度手袋ケースに手袋ｔを取り付けると、その後は基本的には手袋を付けた状態を保って使用に供することになる。
ケース本体２０の素材としては、第１の実施形態の場合と同様に、柔軟性を保有する軟質素材で構成するのがよい。素材としては、不織布等、ウイルス、細菌等が通過し難いもの、水分が通過しないものが好ましい。また防水処理がなされた織布でも可能である。また安価な素材としてはプラスチックシートやフィルム、防水紙、その他のシートを採用することができる。勿論、それらの素材は左葉部２１と右葉部２２として折り畳んだ状態で手を差し入れることができる柔軟性を保有するものであることが必要である。具体的には軟質プラスチックシート、フィルムを好ましく用いることができる。プラスチックシート、フィルムの場合は気密性、水密性が優れ、汚染等が手袋ケース２内に侵入し難いメリットがある。プラスチックシート、フィルム等の安価な素材を用いる場合は、比較的短期の使用にも適して用いることができる。
【００３６】
ケース本体２０に対する手袋ｔの取り付けを説明する。
先ず本体ケース２０を左葉部２１と右葉部２２とに開いた状態とする。
次に縦方向帯状接着面２３、２４と横方向帯状接着面２５の剥離テープを剥がして、接着面を露出させる。
次に手袋ｔの手首部ｔ１をケース本体２０の横方向帯状接着面２５上に重ねる。そして左葉部２１と右葉部２２とを折り畳む。これにより手袋ｔの手首部ｔ１の外周面が横方向帯状接着面２５によって上下から挟まれて接着して接合されると共に、手袋ｔの左右の残余の部分は横方向帯状接着面２５同士で接着する。また一対の縦方向帯状接着面２３、２４が接着することで、左葉部２１と右葉部２２とが筒状に接合される。これによってケース本体２０に対する手袋ｔの取り付けが完了する。
【００３７】
一対の縦方向帯状接着面２３、２４、及び横方向帯状接着面２５は、両面テープを用いて構成するものに限定されない。接着剤を用い、これを塗布する等して接着面２３、２４、２５を構成するようにしてもよい。この場合において、剥離紙を被着した接着面２３、２４、２５としてもよい。
【００３８】
上記第１の実施形態では、一対の縦方向閉止手段として一対の縦方向帯状面ファスナー１３、１４を用い、横方向接合手段として横方向帯状面ファスナーを用い、また上記第２の実施形態では、一対の縦方向閉止手段として一対の縦方向帯状接着面２３、２４を用い、横方向接合手段として横方向帯状接着面２５を用いているが、本発明はこれらの面ファスナー１３、１４、１５や接着面２３、２４、２５に限定されるものではない。
例えば上記第２の実施形態における帯状接着面２３、２４、２５に代えて、帯状粘着面を用いることができる。即ち、左葉部２１と右葉部２２の側縁２１ａ、２２ａに備えられる一対の縦方向閉止手段は、一対の縦方向帯状接着面２３、２４に代わって、左葉部２１と右葉部２２の各側縁２１ａ、２２ａの内面側に沿って縦方向に設けられた一対の縦方向帯状粘着面とし、左葉部２１と右葉部２２の内面に備えられる横方向接合手段は、横方向帯状接着面２５に代わって、前記左葉部２１と右葉部２２の上部において前記一対の縦方向帯状粘着面間に亘って設けられた横方向帯状粘着面とすることができる。このように粘着面を用いることで、横方向帯状粘着面には手袋を粘着により取り外し可能に取り付けることができ、また一対の縦方向帯状粘着面同士を接着して取り外し可能な筒状の手袋ケースとすることができる。
勿論、前記の各粘着面は剥離紙を被着した粘着面としてもよい。
【００３９】
また左葉部２１と右葉部２２の側縁２１ａ、２２ａに備えられる一対の縦方向閉止手段は、一対の縦方向帯状接着面２３、２４に代わって、縦左葉部２１と右葉部２２の各側縁２１ａ、２２ａの内面側に沿って縦方向に設けられた一対の縦方向帯状熱圧着用面とし、左葉部２１と右葉部２２の内面に備えられる横方向接合手段は、横方向帯状接着面２５に代わって、前記左葉部２１と右葉部２２の上部において前記一対の縦方向帯状熱圧着用面間に亘って設けられた横方向帯状熱圧着用面とすることができる。このようにすることで、横方向帯状熱圧着用面には手袋を熱圧着して取り付けることができ、また一対の縦方向帯状熱圧着用面同士を接着して筒状の手袋ケースとすることができる。
前記の各熱圧着用面は、熱圧着用剤や熱圧着用フィルムを施した面として構成することができる。
【００４０】
その他、既述したように、ケース本体は左葉部と右葉部とが折り畳み自在に保持されると共に、折り畳んだ状態で手を差し入れることができる柔軟性を保有する軟質プラスチックで構成されているので、コンパクトで使用し易い手袋ケースを安価な材料を用いて安価に提供することが可能となる。また安価に提供できるので、長期のみならず比較的短期の使用にも適した手袋ケースを提供することができる。
また軟質プラスチック製のケース本体と、それに取り付けられる手首部を備えた軟質プラスチック製の手袋とを組み合わせることにより、手袋と手袋ケースとが何れも軟質プラスチックで構成されたシンプルで使い易く、消毒し易いものを安価に提供することができる。
【００４１】
手袋ケース２の使用の仕方は、上記第１の実施形態の場合において先に説明した内容と同様である。
使用者はケース本体２０より突出した手袋ｔの手部ｔ２、指部ｔ３の部分で作業を行うことができる。
作業終了後に手袋ｔをケース本体２０内に後退して保管する仕方も、上記第１の実施形態の場合において先に説明した内容と同様である。
更に手袋ｔをケース本体１０内に一旦収納し、一時的に保管した状態の手袋ケース２を再び使用する場合についても、上記第１の実施形態の場合において先に説明した内容と同様である。
【産業上の利用可能性】
【００４２】
本考案の手袋ケースは、手袋と組み合わせて使用される手袋関連製品として、一旦はめて使用した手袋をその外面に触れることなく内部に収納、保管し、必要に応じて再び外面に触れることなくはめることができるようにする製品として、大いなる産業上の利用可能性がある。
【符号の説明】
【００４３】
１          手袋ケース
２          手袋ケース
１０        ケース本体
１１        左葉部
１１ａ      側縁
１１ｂ      内面
１２        右葉部
１２ａ      側縁
１２ｂ      内面
１３        縦方向帯状面ファスナー
１４        縦方向帯状面ファスナー
１５        横方向帯状面ファスナー
１６        面ファスナー
２０        ケース本体
２１        左葉部
２１ａ      側縁
２１ｂ      内面
２２        右葉部
２２ａ      側縁
２２ｂ      内面
２３        縦方向帯状接着面
２４        縦方向帯状接着面
２５        横方向帯状接着面
Ｔ          手袋
Ｔ１        手首部
Ｔ２        手部
Ｔ３        指部
ｔ          手袋
ｔ１        手首部
ｔ２        手部
ｔ３        指部
【図１】
0003230727.tif 000003
【図２】
0003230727.tif 000004
【図３】
0003230727.tif 000005
【図４】
0003230727.tif 000006
【図５】
0003230727.tif 000007
【図６】
0003230727.tif 000008
【図７】
0003230727.tif 000009